(57)【要約】【課題】光源が発する照明光が不用意に外部に射出されることを防止できること。【解決手段】本発明にかかる光源装置は、内部に光源１１を有し、この光源１１が発する照明光を外部に射出する落射ランプハウス８と、落射ランプハウス８内に設けられ、外部から挿脱される挿脱ピン７ｃの挿脱状態を検知して所定の検知動作を行う検知動作部１３と、検知動作部１３の所定の検知動作に応じて落射ランプハウス８を、照明光が射出可能な射出状態または照明光が射出されない非射出状態にする射出状態設定機構１４と、を備える。また、射出状態設定機構１４は、照明光が導出される導出光路を遮断または開放するシャッタ機構３０と、挿脱ピン７ｃが所定の挿入状態以外にある場合に検知動作部１３が行う所定の検知動作に連動してシャッタ機構３０を遮断状態にさせる連動機構４０とを備える。【選択図】        図３
2008058824.tif 000002
【特許請求の範囲】
【請求項１】
内部に光源を有し、該光源が発する照明光を外部に射出する光源部本体と、
前記光源部本体内に設けられ、外部から挿脱される挿脱部材の挿脱状態を検知して所定の検知動作を行う検知動作部と、
前記所定の検知動作に応じて前記光源部本体を、前記照明光が射出可能な射出状態または前記照明光が射出されない非射出状態にする射出状態設定部と、
を備えたことを特徴とする光源装置。
【請求項２】
前記射出状態設定部は、前記挿脱部材が所定の挿入状態以外にある場合の前記所定の検知動作に連動して前記光源部本体を前記非射出状態にすることを特徴とする請求項１に記載の光源装置。
【請求項３】
前記光源部本体内に設けられ、前記照明光を該光源部本体外に導出する導出光学系を備え、
前記射出状態設定部は、
前記導出光学系と前記光源との間または前記導出光学系内に配置され、前記照明光が導出される導出光路を遮断または開放するシャッタ機構と、
前記挿脱部材が前記所定の挿入状態以外にある場合の前記所定の検知動作に連動して前記シャッタ機構を遮断状態にさせ、前記挿脱部材が前記所定の挿入状態にある場合の前記所定の検知動作に連動して前記シャッタ機構を開放状態にさせる連動機構と、
を有することを特徴とする請求項２に記載の光源装置。
【請求項４】
前記導出光学系は、複数のレンズを用いて構成され、
前記シャッタ機構は、複数の前記レンズ間に配置されることを特徴とする請求項３に記載の光源装置。
【請求項５】
前記導出光学系は、レンズと、該レンズに対して前記光源と反対側に配された１以上の平板状光透過部材とを用いて構成され、
前記シャッタ機構は、前記レンズと前記平板状光透過部材との間または複数の前記平板状光透過部材間に配置されることを特徴とする請求項３に記載の光源装置。
【請求項６】
前記検知動作部は、
前記挿脱部材の挿脱状態に応じて所定軸回りに回動する回動部材と、
前記回動部材を前記所定軸回りに付勢して一方向に回転させる回転付勢部材と、
を有し、
前記シャッタ機構は、前記導出光路内に挿脱配置される羽根部材を有し、
前記連動機構は、
前記羽根部材に係合され、該羽根部材の挿脱方向を含む挿脱面に沿って往復動作されることで前記羽根部材を挿脱駆動する駆動部と、
前記回動部材に圧接され、該回動部材の回動動作に応じて前記駆動部を前記挿脱面に沿って往復動作させる伝動部と、
前記伝動部を付勢し、該伝動部を前記回動部材に圧接させる付勢部と、
を有することを特徴とする請求項３〜５のいずれか一つに記載の光源装置。
【請求項７】
前記光源に対して電力供給を行う電源部を備え、
前記検知動作部は、前記挿脱部材の前記所定の挿入状態を検知した場合、この検知結果を示すオン信号を出力し、
前記射出状態設定部は、前記検知動作部および前記電源部に電気的に接続され、前記検知動作部から前記オン信号が出力されない非出力期間に前記電源部を電力供給不能な状態にさせ、前記検知動作部から前記オン信号が出力される出力期間に前記電源部を電力供給可能な状態にさせることを特徴とする請求項２に記載の光源装置。
【請求項８】
前記検知動作部は、前記挿脱部材が当接された場合に前記オン信号を出力することを特徴とする請求項７に記載の光源装置。
【請求項９】
前記挿脱部材は、前記光源部本体が着脱自在に取り付けられる照明装置の表面上であって前記検知動作部と対向する表面部に突設され、前記光源部本体が前記照明装置に取り付けられた場合に前記所定の挿入状態にされることを特徴とする請求項２〜８のいずれか一つに記載の光源装置。
【発明の詳細な説明】
【技術分野】
【０００１】
本発明は、内部に光源を有し、光源が発する照明光を外部に射出する光源部本体を備えた光源装置に関し、特に、顕微鏡等が備える照明装置に対して光源部本体を着脱可能に取り付けられる光源装置に関する。
【背景技術】
【０００２】
従来、顕微鏡が備える照明装置に対して着脱可能な光源装置としてランプハウスがある。一般にランプハウスは、ハロゲンランプ、水銀ランプ等のランプ光源またはＬＥＤ光源と、この光源から発せられる照明光を集めて光軸方向に指向させるコレクタレンズとを内部に備え、取り付けられた照明装置に対して照明光を射出して供給する。
【０００３】
近年、顕微鏡の分野では、装置構成におけるシステム化が促進されており、倒立顕微鏡、正立顕微鏡、実体顕微鏡などのタイプごと、さらにこれらの生物用および工業用としての用途ごとに多様な顕微鏡装置間で、各種パーツが共通して利用可能とされている。これによって顕微鏡の利用者は、例えば複数の顕微鏡装置間で１つのランプハウスを交互に着脱して用いることができる。
【０００４】
【特許文献１】特開２０００−２３５１４８号公報
【特許文献２】特開２００２−７２０６４号公報
【特許文献３】特開平７−９９００２号公報
【発明の開示】
【発明が解決しようとする課題】
【０００５】
しかしながら、ランプハウスが利用者によって容易に着脱可能とされたことで、光源の電源をオンさせたまま不用意にランプハウスが取り外された場合、あるいはランプハウスが取り外された状態で光源の電源が不用意にオンされた場合などに、ランプハウスからの射出される照明光が周囲に照射され、この照明光を直視した利用者等に対して不快感を与えるばかりか、直視した眼に損傷を与える恐れがある。
【０００６】
本発明は、上記に鑑みてなされたものであって、照明装置等から取り外された状態で光源の電源がオンされた場合、あるいは光源の電源がオンされたまま照明装置等から取り外された場合に、光源が発する照明光が外部に射出されることを防止できる光源装置を提供することを目的とする。
【課題を解決するための手段】
【０００７】
上述した課題を解決し、目的を達成するために、請求項１にかかる光源装置は、内部に光源を有し、該光源が発する照明光を外部に射出する光源部本体と、前記光源部本体内に設けられ、外部から挿脱される挿脱部材の挿脱状態を検知して所定の検知動作を行う検知動作部と、前記所定の検知動作に応じて前記光源部本体を、前記照明光が射出可能な射出状態または前記照明光が射出されない非射出状態にする射出状態設定部と、を備えたことを特徴とする。
【０００８】
また、請求項２にかかる光源装置は、上記の発明において、前記射出状態設定部は、前記挿脱部材が所定の挿入状態以外にある場合の前記所定の検知動作に連動して前記光源部本体を前記非射出状態にすることを特徴とする。
【０００９】
また、請求項３にかかる光源装置は、上記の発明において、前記光源部本体内に設けられ、前記照明光を該光源部本体外に導出する導出光学系を備え、前記射出状態設定部は、前記導出光学系と前記光源との間または前記導出光学系内に配置され、前記照明光が導出される導出光路を遮断または開放するシャッタ機構と、前記挿脱部材が前記所定の挿入状態以外にある場合の前記所定の検知動作に連動して前記シャッタ機構を遮断状態にさせ、前記挿脱部材が前記所定の挿入状態にある場合の前記所定の検知動作に連動して前記シャッタ機構を開放状態にさせる連動機構と、を有することを特徴とする。
【００１０】
また、請求項４にかかる光源装置は、上記の発明において、前記導出光学系は、複数のレンズを用いて構成され、前記シャッタ機構は、複数の前記レンズ間に配置されることを特徴とする。
【００１１】
また、請求項５にかかる光源装置は、上記の発明において、前記導出光学系は、レンズと、該レンズに対して前記光源と反対側に配された１以上の平板状光透過部材とを用いて構成され、前記シャッタ機構は、前記レンズと前記平板状光透過部材との間または複数の前記平板状光透過部材間に配置されることを特徴とする。
【００１２】
また、請求項６にかかる光源装置は、上記の発明において、前記検知動作部は、前記挿脱部材の挿脱状態に応じて所定軸回りに回動する回動部材と、前記回動部材を前記所定軸回りに付勢して一方向に回転させる回転付勢部材と、を有し、前記シャッタ機構は、前記導出光路内に挿脱配置される羽根部材を有し、前記連動機構は、前記羽根部材に係合され、該羽根部材の挿脱方向を含む挿脱面に沿って往復動作されることで前記羽根部材を挿脱駆動する駆動部と、前記回動部材に圧接され、該回動部材の回動動作に応じて前記駆動部を前記挿脱面に沿って往復動作させる伝動部と、前記伝動部を付勢し、該伝動部を前記回動部材に圧接させる付勢部と、を有することを特徴とする。
【００１３】
また、請求項７にかかる光源装置は、上記の発明において、前記光源に対して電力供給を行う電源部を備え、前記検知動作部は、前記挿脱部材の前記所定の挿入状態を検知した場合、この検知結果を示すオン信号を出力し、前記射出状態設定部は、前記検知動作部および前記電源部に電気的に接続され、前記検知動作部から前記オン信号が出力されない非出力期間に前記電源部を電力供給不能な状態にさせ、前記検知動作部から前記オン信号が出力される出力期間に前記電源部を電力供給可能な状態にさせることを特徴とする。
【００１４】
また、請求項８にかかる光源装置は、上記の発明において、前記検知動作部は、前記挿脱部材が当接された場合に前記オン信号を出力することを特徴とする。
【００１５】
また、請求項９にかかる光源装置は、上記の発明において、前記挿脱部材は、前記光源部本体が着脱自在に取り付けられる照明装置の表面上であって前記検知動作部と対向する表面部に突設され、前記光源部本体が前記照明装置に取り付けられた場合に前記所定の挿入状態にされることを特徴とする。
【発明の効果】
【００１６】
本発明にかかる光源装置によれば、照明装置等から取り外された状態で光源の電源がオンされた場合、あるいは光源の電源がオンされたまま照明装置等から取り外された場合に、光源が発する照明光が外部に射出されることを防止できる。
【発明を実施するための最良の形態】
【００１７】
以下、添付図面を参照して、本発明にかかる光源装置の好適な実施の形態を詳細に説明する。なお、この実施の形態により本発明が限定されるものではない。また、図面の記載において、同一部分には同一符号を付して示している。
【００１８】
（実施の形態１）
まず、本発明の実施の形態１にかかる光源装置について説明する。図１は、本実施の形態１にかかる光源装置を用いた顕微鏡の外観構成を示す図である。この図に示す顕微鏡は、顕微鏡本体１、ステージ２、対物レンズ３、透過照明装置４、透過ランプハウス５、コンデンサ６、落射照明装置７、落射ランプハウス８および接眼レンズ９を用いて構成されたシステム倒立顕微鏡であって、これら各部が着脱自在とされている。
【００１９】
顕微鏡本体１は、内部に結像光学系等を備えるとともに、各部を支持する支持架台として機能する。ステージ２は、顕微鏡本体１上に搭載されており、標本Ｓを保持するとともに観察光軸ＯＡに垂直な平面内で移動させる。対物レンズ３は、ステージ２の直下で観察光軸ＯＡ上に配置され、透過照明装置４は、顕微鏡本体１上に突設された支柱部４ａを介してステージ２の上部に配置されている。透過照明装置４は、内部に図示しない透過照明光学系を備え、この透過照明光学系によって、透過ランプハウス５から供給される照明光をコンデンサ６を介して標本Ｓに照射する。透過ランプハウス５は、透過照明装置４の端部に着脱自在に取り付けられ、内部に備える光源が発する照明光を透過照明光学系に対して射出する。
【００２０】
落射照明装置７は、内部に図示しない落射照明光学系を備え、顕微鏡本体１上に搭載されてステージ２の下部に配置されている。落射照明装置７は、落射照明光学系によって、落射ランプハウス８から供給される照明光を対物レンズ３を介して標本Ｓに照射する。落射ランプハウス８は、顕微鏡本体１から突設された落射照明装置７のマウント部７ａに着脱自在に取り付けられ、内部に備える光源が発する照明光を落射照明光学系に対して射出する。標本Ｓは、透過照明光学系または落射照明光学系によって照明され、対物レンズ３および結像光学系によって観察像が結像される。観察者は、接眼レンズ９を介してこの観察像を観察することができる。
【００２１】
本実施の形態１にかかる光源装置は、光源部本体としての透過ランプハウス５および落射ランプハウス８と、この各ランプハウスが備える光源に対して電力供給等を行う図示しないコントローラとを備える。透過ランプハウス５および落射ランプハウス８は、通常動作として、それぞれ対応する透過照明装置４および落射照明装置７に取り付けられた場合のみ照明光を外部に射出するように構成されている。言い換えると、各ランプハウスは、各々対応する照明装置から取り外された状態で光源に対する電力供給がオンされた場合、あるいは光源に対する電力供給がオンされたまま照明装置から取り外された場合に、照明光が外部に射出されないように構成されている。
【００２２】
つづいて、その透過ランプハウス５および落射ランプハウス８の構成を説明する。ただし、この各ランプハウスは同様の構成を有するため、ここでは落射ランプハウス８について代表して説明する。図２および図３は、落射ランプハウス８の構成を示す断面図である。図２は、マウント部７ａから取り外された状態を示し、図３は、マウント部７ａに取り付けられた状態を示している。
【００２３】
図２および図３に示すように、落射ランプハウス８は、照明光を発する光源１１と、レンズ１２ａ，１２ｂを含み、光源１１が発する照明光を集めて照明光軸ＩＡ方向に指向させるコレクタレンズ１２と、マウント部７ａに対する落射ランプハウス８の着脱状態を検知して所定の検知動作を行う検知動作部１３と、その検知動作に応じて落射ランプハウス８を、照明光が射出可能な射出状態または照明光が射出されない非射出状態にする射出状態設定機構１４と、これらの各構成要素を保持する躯体１５とを用いて構成されている。躯体１５は、ヒートシンク１５ａ、シャッタ座１５ｂおよびマウント部１５ｃを用いて構成され、この各パーツが図示しないネジ等によって互いに固定されることで一体に形成されている。
【００２４】
光源１１は、例えばＬＥＤが用いられ、電気基板１６を介してヒートシンク１５ａに固定されている。ヒートシンク１５ａは、光源１１または電気基板１６から発せられる熱を外部に放出する。光源１１は、電気基板１６を介し、図示しないコントローラに電気的に接続されており、コントローラが備える電源部から電力供給を受ける。コントローラは、光源１１に対する電力供給をオン状態またはオフ状態とすることで、光源１１の点灯および消灯を制御することができる。なお、光源１１には、ＬＥＤに限らず、ハロゲンランプ等のランプ光源、レーザダイオード（ＬＤ）を用いることができる。
【００２５】
コレクタレンズ１２は、導出光学系として、光源１１の各点から発せられる照明光を平行光束に変換し、マウント部１５ｃの端部に設けられた開口部１５ｄを介して外部に導出する。落射ランプハウス８は、マウント部７ａに取り付けられた場合、その開口部１５ｄから落射照明装置７に対して照明光を射出して供給する。コレクタレンズ１２を構成するレンズ１２ａ，１２ｂは、それぞれシャッタ座１５ｂおよびマウント部１５ｃに形成された貫通孔に挿設され、押さえ環１７ａ，１７ｂによって固定されている。ここで、レンズ１２ｂは、２枚のレンズが接合された接合レンズであり、コレクタレンズ１２は、レンズ１２ａ，１２ｂによって２群３枚構成のレンズ系として構成されている。なお、コレクタレンズ１２のレンズ構成は、これに限定して解釈する必要はなく、用途に応じて種々のレンズ構成にすることができる。
【００２６】
検知動作部１３は、コマ２１、回動軸２２およびコイルバネ２３（図６または図７参照）を用いて構成され、シャッタ座１５ｂに取り付けられている。回動軸２２は、コマ２１に貫装され、コマ２１は回動軸２２回りに回動自在とされている。コイルバネ２３は、ねじりコイルバネであり、回動軸２２に環装して設けられ、一端がコマ２１に固定されるとともに他端がシャッタ座１５ｂの表面部１５ｇ（図６または図７参照）に当接されている。これによって、コイルバネ２３は、コマ２１を回動軸２２回りに付勢し、一方向に回転させる作用、具体的には図２および図３における反時計回りに回転させる作用を及ぼしている。
【００２７】
コマ２１は、落射ランプハウス８がマウント部７ａから取り外された状態であって、コイルバネ２３が自然長である場合に初期状態として、図２に示すように、互いに直交する側面部２１ａ，２１ｂの各法線がそれぞれ前方および中心方向を向くように設定されている。ここで、前方とは、マウント部７ａに対する落射ランプハウス８の取り付け方向（図２における左方向）に相当し、中心方向とは、照明光軸ＩＡに指向する方向（図２における下方向）に相当する。
【００２８】
また、コマ２１は、図３に示すように、落射ランプハウス８がマウント部７ａに取り付けられた状態であって、マウント部７ａの表面部７ｂに突設された挿脱ピン７ｃが、マウント部１５ｃの前方に設けられた開口部１５ｅから挿入された場合、側面部２１ａが挿脱ピン７ｃに当接されて押動されることで、初期状態から９０°回転される。そして、この状態から落射ランプハウス８がマウント部７ａより取り外され、挿脱ピン７ｃが開口部１５ｅから抜脱されると、コマ２１は、コイルバネ２３が及ぼす作用に応じて回転し、図２に示した初期状態に復帰する。
【００２９】
このようにして、検知動作部１３は、落射ランプハウス８がマウント部７ａに取り付けられているか否かに応じて、コマ２１の回動軸２２回りの回動位置を９０°変化させる。言い換えると、検知動作部１３は、マウント部７ａに対する落射ランプハウス８の着脱状態に応じた挿脱ピン７ｃの躯体１５に対する挿脱状態をコマ２１によって検知し、その検知結果としてコマ２１を回動軸２２回りに９０°回動させる検知動作を行う。なお、検知動作部１３は、躯体１５内に設けられ、開口部１５ｅを介してのみ外部から操作可能とされている。
【００３０】
射出状態設定機構１４は、シャッタ羽根３１ａ，３１ｂを用いて構成されるシャッタ機構３０と、係合ピン４１、リンク４２、引張バネ４３および固定板４４を用いて構成される連動機構４０とを備えている。シャッタ機構３０および連動機構４０は、それぞれシャッタ座１５ｂに取り付けられている。
【００３１】
シャッタ羽根３１ａ，３１ｂは、照明光軸ＩＡ方向においてレンズ１２ａ，１２ｂ間に設けられ、係合ピン４１の動作に応じて照明光の導出光路内に挿脱配置される。図４および図５は、その動作状態を示す図である。図４は、図２におけるIV-IV断面を示す図であって、初期状態としてシャッタ羽根３１ａ，３１ｂが導出光路内に挿入配置された状態を示している。図５は、図３におけるV-V断面を示す図であって、シャッタ羽根３１ａ，３１ｂが導出光路内から退避された状態を示している。ここで、照明光の導出光路とは、光源１１から発せられ、コレクタレンズ１２を介して射出される照明光の通過光路であって、照明光軸ＩＡを中心軸とし、コレクタレンズ１２の有効径に応じて規定される光路である。
【００３２】
図４および図５に示すように、シャッタ羽根３１ａ，３１ｂには、それぞれ軸ピン３２ａ，３２ｂが貫装され、この軸ピン３２ａ，３２ｂは、シャッタ座１５ｂの表面部に突設されている。これによって、シャッタ羽根３１ａ，３１ｂは、それぞれ軸ピン３２ａ，３２ｂを回転軸としてシャッタ座１５ｂに対して回動可能とされている。また、シャッタ羽根３１ａ，３１ｂには、照明光軸ＩＡ方向に互いに重ね合わされた領域に、それぞれ長穴３３ａ，３３ｂが形成されており、この長穴３３ａ，３３ｂに対して係合ピン４１が貫装されている。係合ピン４１は、後述するように、マウント部７ａに対する落射ランプハウス８の着脱状態に応じ、照明光軸ＩＡに対してその放射方向（図４および図５における上下方向）に所定ストロークで往復動作可能に設けられている。
【００３３】
図４に示す初期状態、つまり落射ランプハウス８がマウント部７ａから取り外された状態では、係合ピン４１は、可動ストローク内の外端部（図４における上端部）に位置付けられ、これに応じてシャッタ羽根３１ａ，３１ｂは、導出光路内に挿入配置される。一方、図５に示す状態、つまり落射ランプハウス８がマウント部７ａに取り付けられた状態では、係合ピン４１は、可動ストローク内の内端部（図５における下端部）に位置付けられ、これに応じてシャッタ羽根３１ａ，３１ｂは、導出光路から退避して配置される。このようにして、シャッタ羽根３１ａ，３１ｂは、係合ピン４１の往復動作に応じ、照明光軸ＩＡに対して垂直な面内で互いに反対方向に回動され、導出光路内に挿脱配置される。
【００３４】
ここで、シャッタ羽根３１ａ，３１ｂは、導出光路内に挿入配置された場合に協働して導出光路全域を遮断し、導出光路から退避された場合に導出光路全域を開放できるように、形状および大きさが設定されている。このため、シャッタ機構３０は、係合ピン４１の往復動作に応じてシャッタ羽根３１ａ，３１ｂを導出光路内に挿脱配置することで、導出光路を確実に遮断または開放することができる。なお、係合ピン４１の動作方向は、照明光軸ＩＡに対する放射方向に限定されず、導出光路に対するシャッタ羽根３１ａ，３１ｂの挿脱方向を含む挿脱面に沿った方向、すなわちシャッタ羽根３１ａ，３１ｂの羽根面に沿った方向であればよい。
【００３５】
一方、図２に示すように、連動機構４０において係合ピン４１は、板状のリンク４２の一端に突設され、リンク４２は、その係合ピン４１の近傍で端部が屈曲されて突起されている。この突起部４２ａは、係合ピン４１の突設方向とは反対側に張り出され、図２に示す初期状態において、コマ２１の側面部２１ｂに当接されている。このため、落射ランプハウス８がマウント部７ａに取り付けられ、コマ２１が挿脱ピン７ｃによって回動された場合、突起部４２ａは、図３に示すように、コマ２１によって照明光軸ＩＡに向けて押動される。そして、この突起部４２ａの押動動作に応じて、リンク４２は、係合ピン４１をその押動方向に移動させ、係合ピン４１は、上述したように、シャッタ羽根３１ａ，３１ｂを導出光路から退避駆動させる。
【００３６】
図６および図７は、連動機構４０および検知動作部１３の構成を示す斜視図である。これらの図は、落射ランプハウス８からマウント部１５ｃを取り外した状態を示している。また、図６は、図２および図４に対応する初期状態、つまり落射ランプハウス８がマウント部７ａから取り外された状態を示し、図７は、図３および図５に対応する状態、つまり落射ランプハウス８がマウント部７ａに取り付けられ、挿脱ピン７ｃが開口部１５ｅから挿入された状態を示している。
【００３７】
図６および図７に示すように、リンク４２は、ピン状の結合部材４５を介してシャッタ座１５ｂの表面に取り付けられ、この結合部材４５を軸として照明光軸ＩＡに対して垂直方向に回動可能とされている。固定板４４は、導出光路を開放する貫通孔が設けられ、リンク４２と平行にシャッタ座１５ｂに固定されている。引張バネ４３は、一端がリンク４２の端部４２ｂに掛合され、他端が固定板４４の端部４４ａに掛合されて、常に自然長以上の長さとなるように設けられている。
【００３８】
これによって、引張バネ４３は、端部４２ｂを自身の圧縮方向に付勢し、リンク４２に対して図６および図７における反時計回りに回転させる作用を及ぼし、常に突起部４２ａをコマ２１に圧接させている。このため、落射ランプハウス８がマウント部７ａから取り外された場合、つまり図３および図７に示す状態から挿脱ピン７ｃが抜脱されてコマ２１が回転された場合、リンク４２は、突起部４２ａをコマ２１に圧接させつつ、その圧接方向（図３および図７における上方向）に係合ピン４１を移動させ、これに応じて係合ピン４１は、上述したように、シャッタ羽根３１ａ，３１ｂを導出光路内に挿入駆動させる。
【００３９】
このようにして、連動機構４０は、落射ランプハウス８がマウント部７ａに取り付けられているか否かによって回動されるコマ２１の回動動作に応じて、係合ピン４１を所定ストロークで往復動作させ、シャッタ機構３０を開放状態または遮断状態にさせる。言い換えると、連動機構４０は、落射ランプハウス８がマウント部７ａから取り外され、挿脱ピン７ｃが躯体１５から抜脱された場合のコマ２１の回動動作に連動してシャッタ機構３０を遮断状態にさせる。また、連動機構４０は、落射ランプハウス８がマウント部７ａに取り付けられ、挿脱ピン７ｃが躯体１５に対して挿入状態となる場合のコマ２１の回動動作に連動してシャッタ機構３０を開放状態にさせる。
【００４０】
なお、検知動作部１３における回動軸２２は、図６および図７に示すように、シャッタ座１５ｂの表面部に設けられたＶ溝１５ｆ（図４または図５参照）内に敷設され、このＶ溝１５ｆから脱落しないように、板状の押止部材２４によって２ヶ所で押止されている。押止部材２４は、ネジ等によってシャッタ座１５ｂの表面部に固定されている。
【００４１】
以上説明したように、本実施の形態１にかかる光源装置が備える落射ランプハウス８は、落射照明装置７のマウント部７ａから取り外され、コマ２１に対向するマウント部７ａの表面部７ｂ上に突設された挿脱ピン７ｃが開口部１５ｅを介して躯体１５から抜脱された場合、検知動作部１３および連動機構４０によってシャッタ機構３０を遮断状態とし、光源１１が発する照明光が開口部１５ｄから射出されない非射出状態になる。また、落射ランプハウス８は、マウント部７ａに取り付けられ、挿脱ピン７ｃが躯体１５に対して所定の挿入状態、すなわちコマ２１を回動させる挿入状態にされた場合、検知動作部１３および連動機構４０によってシャッタ機構３０を開放状態とし、照明光が開口部１５ｄから射出可能な射出状態になる。
【００４２】
これによって、落射ランプハウス８では、落射照明装置７から取り外された状態で光源１１に対する電力供給がオンされた場合、あるいは光源１１に対する電力供給がオンされたまま落射照明装置７から取り外された場合に、光源１１が発する照明光が外部に射出されることを防止することができる。
【００４３】
また、落射ランプハウス８では、検知動作部１３を操作するための経路である開口部１５ｅを、作業者等が指などで検知動作部１３に直接触れることができない大きさとすることで、シャッタ機構３０が作業者等によって不用意に開放状態にされることを防止することができる。これによって、落射照明装置７から取り外された状態で光源１１に対する電力供給がオンされた場合に、照明光が不用意に外部に射出されることを防止することができる。なお、指などで検知動作部１３に直接触れることができないようにするために好ましい開口部１５ｅの大きさは、例えば直径１２ｍｍ以下である。
【００４４】
また、落射ランプハウス８では、シャッタ機構３０を躯体１５の内部に設け、外部から直接触れることができないようにしているため、作業者等によってシャッタ機構３０が検知動作部１３を介さずに直接開放状態とされることを防止することができる。このため、落射照明装置７から取り外された状態で光源１１に対する電力供給がオンされた場合に、照明光が不用意に外部に射出されることを防止することができる。なお、開口部１５ｄでは、レンズ１２ｂによってシャッタ機構３０に至る経路が閉塞され、シャッタ機構３０に対する外部からのアクセスが防止されている。
【００４５】
ここまで説明した落射ランプハウス８の機構および作用は、透過ランプハウス５に対して同様に適用されるものであり、透過ランプハウス５は、上述した落射ランプハウス８と同等の効果を奏するものである。
【００４６】
（変形例）
つぎに、本実施の形態１にかかる光源装置の変形例について説明する。上述した落射ランプハウス８では、光源１１が発する照明光を外部に導出する導出光学系としてコレクタレンズ１２を備えるものとしたが、このコレクタレンズ１２に加えて平板状光透過部材、例えばＮＤフィルタ、バンドパスフィルタ、防塵ガラス板などを備えることができる。この平板状光透過部材は、例えば図８に示すように、コレクタレンズ１２に対して光源１１と反対側、つまりコレクタレンズ１２に対して照明光の射出側に配置することができる。これによって、平板状光透過部材１８として各種フィルタ等を容易に交換可能に設けることができる。ここで、平板状光透過部材１８は、開口部１５ｄからマウント部１５ｃ内に嵌挿され、押さえ環１７ｃによって固定されている。
【００４７】
さらに、このように平板状光透過部材１８を設けることで、射出状態設定機構１４としてのシャッタ機構３０および連動機構４０は、コレクタレンズ１２と平板状光透過部材１８との間に配置させることができる。この場合、平板状光透過部材１８によって開口部１５ｄからシャッタ機構３０に至る経路が閉塞されることで、シャッタ機構３０をコレクタレンズ１２内、つまりレンズ１２ａ，１２ｂ間に配置した場合と同様に、シャッタ機構３０に対する外部からのアクセスを防止することができる。
【００４８】
なお、平板状光透過部材１８は、１枚に限らず複数枚配置させることができる。この場合、射出状態設定機構１４は、平板状光透過部材間に配置させてもよい。また、平板状光透過部材１８の有無によらず、射出状態設定機構１４は、光源１１とコレクタレンズ１２との間に配置させることもできる。この場合、照明光の光束径が比較的小さい位置にシャッタ羽根３１ａ，３１ｂ等を配置することができるため、射出状態設定機構１４を小型化することができ、結果として落射ランプハウス８を小型化することができる。
【００４９】
（実施の形態２）
つぎに、本発明の実施の形態２にかかる光源装置について説明する。図９および図１０は、本実施の形態２にかかる光源装置の構成を示す断面図である。これらの図に示すように、この光源装置は、ランプハウス５０、コントローラ５１およびケーブル５２を用いて構成されている。この光源装置は、図１に示したシステム倒立顕微鏡に適用可能な光源装置であって、ランプハウス５０は、例えば落射ランプハウス８と交換して落射照明装置７に取り付け可能である。そこで図１０は、ランプハウス５０が落射照明装置７のマウント部７ａに取り付けられた状態を示し、図９は、ランプハウス５０が落射照明装置７から取り外された状態を示している。
【００５０】
ランプハウス５０は、光源１１と、コレクタレンズ１２と、マウント部７ａに対するランプハウス５０の着脱状態を検知して所定の検知動作を行う検知動作部５３と、これらの構成要素を保持する躯体５５とを用いて構成されている。躯体５５は、ヒートシンク５５ａおよびマウント部５５ｂを用いて構成され、これらが図示しないネジ等によって互いに固定されることで一体に形成されている。ここで、実施の形態１と同一の構成部分には、同一符号を付して示している。
【００５１】
検知動作部５３は、マイクロスイッチ等を用いて構成され、マウント部５５ｂ内に設けられている。検知動作部５３は、アクチュエータ部５３ａを有し、このアクチュエータ部５３ａが所定量押下されて作動された場合、検知動作としてオン信号を出力する。このオン信号は、ケーブル５２内に設けられた信号線５２ａを介してコントローラ５１へ出力される。
【００５２】
ここで、検知動作部５３が出力するオン信号は、検知動作部５３自身が発信する信号でもよく、あるいはコントローラ５１からの供給信号をそのまま応答信号として出力するものでもよい。すなわち、検知動作部５３は、自身で発信する場合、内部に発信機を備え、供給信号を応答信号として出力する場合、コントローラ５１との電気的接点を開閉可能に形成するスイッチ機構を備えるとよい。
【００５３】
なお、アクチュエータ部５３ａは、ヒンジ・レバー機構、スプリング押ボタン機構等、種々の機構を用いることができる。また、検知動作部５３は、マウント部５５ｂ内に配置されたことで、このマウント部５５ｂに設けられた開口部５５ｅを介してのみ外部から操作可能とされている。
【００５４】
コントローラ５１は、電源部５１ａおよび制御部５１ｂを備え、ケーブル５２を介して検知動作部５３および電気基板１６と電気的に接続されている。ケーブル５２は、信号線５２ａ，５２ｂを有し、コントローラ５１は、この信号線５２ａ，５２ｂによって、それぞれ検知動作部５３および電気基板１６に電気的に接続されている。なお、信号線５２ａ，５２ｂは、ヒートシンク５５ａに設けられた貫通孔５５ｃを介して躯体１５内に導入されている。
【００５５】
電源部５１ａは、制御部５１ｂによる制御のもと、電気基板１６を介し、光源１１に対して電力供給を行う。制御部５１ｂは、検知動作部５３からオン信号が出力されているか否かによって、電源部５１ａを光源１１に対して電力供給可能な状態または電力供給不能な状態にさせる。具体的には、制御部５１ｂは、検知動作部５３からオン信号が出力されない非出力期間には電源部５１ａを電力供給不能な状態にさせ、検知動作部５３からオン信号が出力される出力期間には電源部５１ａを電力供給可能な状態にさせる。言い換えると、制御部５１ｂは、ランプハウス５０がマウント部７ａに取り付けられ、挿脱ピン７ｃがアクチュエータ部５３ａに当接されて、アクチュエータ部５３ａが作動させられた場合に、電源部５１ａを光源１１に対して電力供給可能な状態にさせる。
【００５６】
このため、本実施の形態２にかかる光源装置では、電源部５１ａからの電力供給を作動させるためコントローラ５１に設けられた図示しない電源スイッチがオンされても、アクチュエータ部５３ａが作動され、検知動作部５３からオン信号が出力されない限り、光源１１は点灯されることがなく、照明光が開口部５５ｄから射出されることがない。これによって、この光源装置では、ランプハウス５０が落射照明装置７から取り外された状態で光源１１に対する電力供給がオン、つまり電源スイッチがオンされた場合、あるいは電源スイッチがオンされたままランプハウス５０が落射照明装置７から取り外された場合に、光源１１が発する照明光が外部に射出されることを防止することができる。
【００５７】
また、ランプハウス５０では、落射ランプハウス８と同様に、検知動作部５３を操作するための経路である開口部５５ｅを、作業者等が指などで検知動作部５３に直接触れることができない大きさとすることで、アクチュエータ部５３ａが作業者等によって不用意に作動されてオン信号が出力されることを防止することができる。これによって、ランプハウス５０が落射照明装置７から取り外された状態で光源１１に対する電力供給がオンされた場合、つまりコントローラ５１に設けられた電源スイッチがオンされた場合に、照明光が不用意に外部に射出されることを防止することができる。
【００５８】
なお、ここでは、ランプハウス５０が落射照明装置７に対して着脱される場合について説明したが、挿脱ピン７ｃを備える他の照明装置に対して着脱させる場合にも、この光源装置は同様の効果を奏するものである。
【００５９】
ここまで、本発明を実施する最良の形態を実施の形態１および２として説明したが、本発明は、上述した実施の形態１および２に限定されず、本発明の趣旨を逸脱しない範囲であれば、種々の変形が可能である。
【００６０】
例えば、上述した実施の形態１および２では、検知動作部１３および５３は、挿脱ピン７ｃの接触状態に応じて挿脱ピン７ｃの挿入状態を検知するものとしたが、非接触に挿脱ピン７ｃの挿入状態を検知するものであってもよい。かかる非接触式の検知手段として、例えばフォトインタラプタ等の光センサ、ホール素子等の磁気センサなどを用いることができる。この場合、非接触式センサの検知結果に応じてコマ２１を回動させる機構、あるいはオン信号を発信する機構を備えればよい。
【００６１】
また、上述した実施の形態１では、シャッタ機構３０として２枚のシャッタ羽根３１ａ，３１ｂを開閉動作させる機構を用いたが、２枚に限らず１枚もしくは３枚以上のシャッタ羽根を開閉させるシャッタ機構としてもよい。さらに、上述したように軸ピン３２ａ，３２ｂを回転軸としてシャッタ羽根３１ａ，３１ｂを回動させて導出光路内に挿脱配置させる機構に限らず、例えば一眼レフカメラ等で用いられるレンズシャッタ（虹彩絞り）やフォーカルプレーンシャッタと同様のシャッタ機構を適用することもできる。
【００６２】
また、上述した実施の形態１および２では、落射ランプハウス８およびランプハウス５０は、落射照明装置７に対して照明光軸ＩＡ方向に着脱するものとして説明したが、照明光軸ＩＡに対して垂直方向に着脱動作させる構造としてもよい。さらに、上述した実施の形態１および２では、落射ランプハウス８およびランプハウス５０の着脱方向に挿脱ピン７ｃを突設させ、その突設方向において検知動作部１３または５３によって挿脱ピン７ｃの挿入状態を検知するものとしたが、ランプハウスの着脱方向、挿脱ピン７ｃの突設方向および検知動作部の検知方向は、必ずしも一致させる必要はなく、組み立て構成等の都合に応じて適宜変更してかまわない。
【００６３】
また、上述した実施の形態１および２では、本発明にかかる光源装置をシステム倒立顕微鏡に適用するものとして説明したが、倒立顕微鏡に限定されず、正立顕微鏡、実体顕微鏡等に適用することもできる。さらに、顕微鏡に限らず、光源装置を必要とする様々な機器に対して適用させることができる。
【図面の簡単な説明】
【００６４】
【図１】本発明の実施の形態１にかかる光源装置を用いた顕微鏡の構成を示す図である。
【図２】本発明の実施の形態１にかかる光源装置が備えるランプハウスの構成を示す断面図である。
【図３】図２に示したランプハウスを照明装置に取り付けた状態を示す断面図である。
【図４】図２に示したランプハウスが備えるシャッタ機構を示す正面図である。
【図５】図２に示したランプハウスを照明装置に取り付けた場合のシャッタ機構を示す正面図である。
【図６】図２に示したランプハウスが備える連動機構を示す斜視図である。
【図７】図２に示したランプハウスを照明装置に取り付けた場合の連動機構を示す斜視図である。
【図８】本発明の実施の形態１にかかる光源装置が備えるランプハウスの変形例を示す断面図である。
【図９】本発明の実施の形態２にかかる光源装置が備えるランプハウスの構成を示す断面図である。
【図１０】図９に示したランプハウスを照明装置に取り付けた状態を示す断面図である。
【符号の説明】
【００６５】
１    顕微鏡本体
２    ステージ
３    対物レンズ
４    透過照明装置
４ａ    支柱部
５    透過ランプハウス
６    コンデンサ
７    落射照明装置
７ａ    マウント部
７ｂ    表面部
７ｃ    挿脱ピン
８    落射ランプハウス
９    接眼レンズ
１１    光源
１２    コレクタレンズ
１２ａ，１２ｂ    レンズ
１３    検知動作部
１４    射出状態設定機構
１５    躯体
１５ａ    ヒートシンク
１５ｂ    シャッタ座
１５ｃ    マウント部
１５ｄ，１５ｅ    開口部
１５ｆ    Ｖ溝
１５ｇ    表面部
１６    電気基板
１７ａ〜１７ｃ    押さえ環
１８    平板状光透過部材
２１    コマ
２１ａ，２１ｂ    側面部
２２    回動軸
２３    コイルバネ
２４    押止部材
３０    シャッタ機構
３１ａ，３１ｂ    シャッタ羽根
３２ａ，３２ｂ    軸ピン
３３ａ，３３ｂ    長穴
４０    連動機構
４１    係合ピン
４２    リンク
４２ａ    突起部
４２ｂ    端部
４３    引張バネ
４４    固定板
４４ａ    端部
４５    結合部材
５０    ランプハウス
５１    コントローラ
５１ａ    電源部
５１ｂ    制御部
５２    ケーブル
５２ａ，５２ｂ    信号線
５３    検知動作部
５３ａ    アクチュエータ部
５５    躯体
５５ａ    ヒートシンク
５５ｂ    マウント部
５５ｃ    貫通孔
５５ｄ，５５ｅ    開口部
ＩＡ    照明光軸
ＯＡ    観察光軸
Ｓ    標本
【図１】
2008058824.tif 000003
【図２】
2008058824.tif 000004
【図３】
2008058824.tif 000005
【図４】
2008058824.tif 000006
【図５】
2008058824.tif 000007
【図６】
2008058824.tif 000008
【図７】
2008058824.tif 000009
【図８】
2008058824.tif 000010
【図９】
2008058824.tif 000011
【図１０】
2008058824.tif 000012